(57)【特許請求の範囲】
【請求項１】
複数のページを有する印刷ページ部と、
前記各ページに設けられた検出領域と、
前記各ページを閉じたときに前記検出領域と向い合せになる位置に設けられ、前記検出領域を撮影する撮影手段と、
前記撮影手段によって撮影された画像に基づいて、開いているページを識別する識別手段と、
前記各ページに対応付けられた情報を記憶している記憶手段と、
前記識別手段によって識別されたページに対応する情報に基づいて、演出のための制御を行う制御手段と、
を備えていることを特徴とする本。
【請求項２】
前記識別手段は、前記撮影された画像を２値化画像に変換して、当該２値化画像の所定の位置が白であるか黒であるかによって識別を行う、
請求項１に記載の本。
【請求項３】
前記識別手段は、前記撮影された画像を２値化画像に変換して、パターンマッチングによって識別を行う、
請求項１に記載の本。
【請求項４】
前記印刷ページ部は、取り替え可能に設けられており、
前記識別手段は、前記撮影手段によって撮影された画像に基づいて、いずれの印刷ページ部が取り付けられているかを識別する、
請求項１ないし３のいずれかに記載の本。
【請求項５】
前記撮影手段、前記識別手段、前記記憶手段および前記制御手段は、携帯機器の各機能を用いたものである、
請求項１ないし４のいずれかに記載の本。
【請求項６】
音声を出力する音声出力手段をさらに備え、
前記各ページに対応付けられた情報は音声情報であり、
前記制御手段は、前記識別されたページに対応する情報に基づく音声を、前記音声出力手段に出力させる、
請求項１ないし５のいずれかに記載の本。
【請求項７】
通信を行う通信手段をさらに備え、
前記制御手段は、前記識別されたページに対応する情報を、前記通信手段に送信させる、
請求項１ないし６のいずれかに記載の本。
【請求項８】
請求項７に記載の本と、
前記通信手段が送信した情報を受信する受信手段を備えている家電機器と、
を備えていることを特徴とする演出システム。
【請求項９】
複数のページを有する印刷ページ部と、
撮影手段を有する携帯機器を収納する収納部と、
前記各ページを閉じたときに、前記撮影手段と向い合せになる位置に設けられる検出領域と、
を備えていることを特徴とする本。
【請求項１０】
請求項９に記載の本の前記収納部に収納される携帯機器にインストールされるプログラムであって、
前記携帯機器を、
前記撮影手段によって撮影された画像に基づいて、前記本の開いているページを識別する識別手段と、
前記各ページに対応付けられた情報を記憶している記憶手段と、
前記識別手段によって識別されたページに対応する情報に基づいて、演出のための制御を行う制御手段と、
して機能させることを特徴とするプログラム。
【請求項１１】
請求項９に記載の本と、請求項１０に記載のプログラムと、
を備えていることを特徴とする演出システム。
【発明の詳細な説明】
【技術分野】
【０００１】
本発明は、ページ識別機能を有する本、当該本を備える演出システム、および、プログラムに関する。
【背景技術】
【０００２】
従来、ページを識別する機能を備えた絵本が開発されている。例えば、特許文献１には、直線上に配列された複数のセンサによって、遮光領域と開口領域の組み合わせを検出してページの識別を行う絵本玩具が記載されている。
【先行技術文献】
【特許文献】
【０００３】
【特許文献１】実用新案登録第３１１３１１９号公報
【発明の概要】
【発明が解決しようとする課題】
【０００４】
特許文献１に記載の絵本玩具の場合、直線上に配列された複数のセンサで遮光領域と開口領域の組み合わせを検出するために、広い検出領域を設ける必要があった。【０００５】
本発明は上記した事情のもとで考え出されたものであって、狭い検出領域でページを識別することができる本を提供することをその目的としている。
【課題を解決するための手段】
【０００６】
上記課題を解決するため、本発明では、次の技術的手段を講じている。【０００７】
本発明の第１の側面によって提供される本は、複数のページを有する印刷ページ部と、前記各ページに設けられた検出領域と、前記各ページを閉じたときに前記検出領域と向い合せになる位置に設けられ、前記検出領域を撮影する撮影手段と、前記撮影手段によって撮影された画像に基づいて、開いているページを識別する識別手段と、前記各ページに対応付けられた情報を記憶している記憶手段と、前記識別手段によって識別されたページに対応する情報に基づいて、演出のための制御を行う制御手段とを備えていることを特徴とする。【０００８】
本発明の好ましい実施の形態では、前記識別手段は、前記撮影された画像を２値化画像に変換して、当該２値化画像の所定の位置が白であるか黒であるかによって識別を行う。【０００９】
本発明の好ましい実施の形態では、前記識別手段は、前記撮影された画像を２値化画像に変換して、パターンマッチングによって識別を行う。【００１０】
本発明の好ましい実施の形態では、前記印刷ページ部は、取り替え可能に設けられており、前記識別手段は、前記撮影手段によって撮影された画像に基づいて、いずれの印刷ページ部が取り付けられているかを識別する。【００１１】
本発明の好ましい実施の形態では、前記撮影手段、前記識別手段、前記記憶手段および前記制御手段は、携帯機器の各機能を用いたものである。【００１２】
なお、本発明における「携帯機器」とは、スマートフォン、携帯電話、タブレット型コンピュータなどであり、撮影機能と、ＣＰＵおよびメモリを備えている機器である。また、アプリケーションソフトをインストールすることができるカメラなども含まれる。さらに、撮影機能と、ＣＰＵおよびメモリを備えている、本発明の第１の側面によって提供される本のための専用の機器も含まれる。【００１３】
本発明の好ましい実施の形態では、前記本は、音声を出力する音声出力手段をさらに備え、前記各ページに対応付けられた情報は音声情報であり、前記制御手段は、前記識別されたページに対応する情報に基づく音声を、前記音声出力手段に出力させる。【００１４】
本発明の好ましい実施の形態では、前記本は、通信を行う通信手段をさらに備え、前記制御手段は、前記識別されたページに対応する情報を、前記通信手段に送信させる。【００１５】
本発明の第２の側面によって提供される演出システムは、本発明の第１の側面によって提供される本と、前記通信手段が送信した情報を受信する受信手段を備えている家電機器とを備えていることを特徴とする。【００１６】
なお、本発明における「家電機器」とは、主に家庭用として使用される電気機械器具であり、照明機器、エアコンなどの白物家電、テレビなどの映像機器、ラジオやスピーカなどの音響機器などがあり、電動カーテンなども含まれる。また、「家電機器」は、通信手段が送信した情報を直接受信するものに限られず、中継装置やネットワークを経由して受信するものも含まれる。【００１７】
本発明の第３の側面によって提供される本は、複数のページを有する印刷ページ部と、撮影手段を有する携帯機器を収納する収納部と、前記各ページを閉じたときに、前記撮影手段と向い合せになる位置に設けられる検出領域と、を備えていることを特徴とする。【００１８】
本発明の第４の側面によって提供されるプログラムは、本発明の第３の側面によって提供される本の前記収納部に収納される携帯機器にインストールされるプログラムであって、前記携帯機器を、前記撮影手段によって撮影された画像に基づいて、前記本の開いているページを識別する識別手段と、前記各ページに対応付けられた情報を記憶している記憶手段と、前記識別手段によって識別されたページに対応する情報に基づいて、演出のための制御を行う制御手段として機能させることを特徴とする。【００１９】
本発明の第５の側面によって提供される演出システムは、本発明の第３の側面によって提供される本と、本発明の第４の側面によって提供されるプログラムとを備えていることを特徴とする。
【発明の効果】
【００２０】
本発明によれば、識別手段が、撮影手段によって撮影された画像に基づいて、開いているページを識別する。各ページの検出領域は、各ページを閉じたときに撮影手段と向い合せになる位置に設けられており、従来の検出領域より狭い領域とすることができる。【００２１】
本発明のその他の特徴および利点は、添付図面を参照して以下に行う詳細な説明によって、より明らかとなろう。
【図面の簡単な説明】
【００２２】
【図１】第１実施形態に係る演出システムの概略構成を説明するための図である。
【図２】第１実施形態に係る演出効果付き絵本を説明するための図である。
【図３】携帯端末の内部構成を説明するための機能ブロック図である。
【図４】ページを識別する方法を説明するための図である。
【図５】記憶部に記憶されている演出テーブルの一例を示す図である。
【図６】制御部が行う演出処理を説明するためのフローチャートである。
【図７】検出領域の他の実施例を説明するための図である。
【図８】収納部の他の実施例を説明するための図である。
【図９】収納部の他の実施例を説明するための図である。
【図１０】携帯端末の他の実施例を説明するための図である。
【図１１】第２および第３実施形態に係る演出効果付き絵本を説明するための図である。
【発明を実施するための形態】
【００２３】
以下、本発明の実施の形態を、添付図面を参照して具体的に説明する。
【００２４】
図１は、第１実施形態に係る演出システムの概略構成を説明するための図である。
【００２５】
演出システムＡは、演出効果付き絵本１を楽しむための演出が行われるシステムであり、演出効果付き絵本１、中継装置４、および、照明機器５、エアコン６、ディスプレイ７、電動カーテン８、スピーカ９などの家電機器を備えている。
【００２６】
演出効果付き絵本１は、絵本２および携帯端末３を備えており、絵本２の開いているページを識別して、当該ページに対応した演出を行う。演出効果付き絵本１は、通信機能を備えており、通信信号を中継装置４に送信する。演出効果付き絵本１の詳細については後述する。
【００２７】
中継装置４は、演出効果付き絵本１と家電機器５〜９との無線通信を中継するものである。中継装置４は、演出効果付き絵本１より受信した通信信号を家電機器５〜９に送信する。本実施形態では、中継装置４と演出効果付き絵本１とはＷｉＦｉ（登録商標）方式による無線通信を行っており、中継装置４と家電機器５〜９とはＺｉｇＢｅｅ（登録商標）方式による無線通信を行っている。なお、各無線通信の方式はこれに限られず、Ｂｌｕｅｔｏｏｔｈ（登録商標）方式や、赤外線通信方式など、他の通信方式を利用してもよい。また、中継装置４を設けずに、演出効果付き絵本１と家電機器５〜９とが、直接、無線通信を行うようにしてもよい。
【００２８】
また、各通信は無線通信に限られず、有線通信を利用するようにしてもよい。例えば、中継装置４と演出効果付き絵本１とを通信線で接続して有線通信をするようにしてもよいし、中継装置４と家電機器５〜９とは電力線搬送通信（Power Line Communication :PLC）を利用するようにしてもよい。また、演出効果付き絵本１と家電機器５〜９とが、直接、有線通信を行うようにしてもよい。また、中継装置４と演出効果付き絵本１とが、インターネット回線を介した通信を行うようにしてもよい。
【００２９】
照明機器５は、ＬＥＤを備えた照明装置であり、明るさや色を変化させることができる。また、照明機器５は、通信機能を備えており、中継装置４からの通信信号を受信することができる。照明機器５は、中継装置４を介して演出効果付き絵本１より入力される通信信号に応じて、照明のオンオフを制御し、明るさや色を調整する。なお、照明機器５は、蛍光灯または白熱灯を備えた照明装置であってもよい。この場合でも、通信信号に応じて、照明のオンオフを制御することができる。
【００３０】
エアコン６は、エアコンディショナであり、部屋内の温度や湿度を調整する空調設備である。また、エアコン６は、通信機能を備えており、中継装置４からの通信信号を受信することができる。エアコン６は、中継装置４を介して演出効果付き絵本１より入力される通信信号に応じて、電源のオンオフを制御し、温度や湿度を調整する。なお、エアコン６に代えて、または、加えて、通信機能を備えた扇風機や暖房機器（例えば、電気ヒータなど）を用いるようにしてもよい。
【００３１】
ディスプレイ７は、画像を表示する表示装置である。また、ディスプレイ７は、通信機能を備えており、中継装置４からの通信信号を受信することができる。ディスプレイ７は、中継装置４を介して演出効果付き絵本１より入力される通信信号に応じて、電源のオンオフを制御し、動画や静止画などの画像を表示する。なお、ディスプレイ７は、通信機能を備えたテレビジョンなどであってもよい。
【００３２】
電動カーテン８は、電動でカーテンの開閉を行うものである。また、電動カーテン８は、通信機能を備えており、中継装置４からの通信信号を受信することができる。電動カーテン８は、中継装置４を介して演出効果付き絵本１より入力される通信信号に応じて、カーテンの開閉を制御する。
【００３３】
スピーカ９は、音声を出力するための出力装置である。また、スピーカ９は、通信機能を備えており、中継装置４からの通信信号を受信することができる。スピーカ９は、中継装置４を介して演出効果付き絵本１より入力される通信信号に応じて、電源のオンオフを制御し、音声を出力する。なお、音声出力装置として後述する携帯端末３のスピーカ３４６を利用する場合は、スピーカ９を設けなくてもよい。また、携帯端末３のスピーカ３４６を利用せずに、スピーカ９を利用するようにしてもよい。また、携帯端末３のスピーカ３４６とスピーカ９とで、異なる音声を出力するようにしてもよい。
【００３４】
なお、家電機器５〜９のすべてが揃っている必要はない。また、その他の家電製品を用いるようにしてもよい。
【００３５】
次に、演出効果付き絵本１の詳細について、図２〜６を参照して説明する。
【００３６】
演出効果付き絵本１は、携帯端末３を絵本２に収納したものである。演出効果付き絵本１は、携帯端末３の機能を利用して、様々な演出を行う。具体的には、撮影機能を利用して、絵本２の各ページに設けられた検出領域（後述）を撮影し、撮影された画像に基づいて、現在開いているページを識別する。そして、識別されたページに対応した音声を、携帯端末３のスピーカから出力する。また、識別されたページに対応した情報を通信信号として、携帯端末３の通信機能を利用し、中継装置４を介して、各家電機器５〜９に送信する。通信信号を受信した各家電機器５〜９は、識別されたページに対応した情報に基づいて、制御される。例えば、開いているページに火山の噴火に関する記載がされていた場合、照明機器５が照明を赤い光に変更し、エアコン６が高い設定温度で起動されて温風を吹き出し、ディスプレイ７には流れるマグマの映像が表示される。また、携帯端末３の振動機能が働いて、演出効果付き絵本１が振動し、説明の音声が出力される。
【００３７】
図２は、演出効果付き絵本１を説明するための図である。図２（ａ）は、絵本２の斜視図を示しており、図２（ｂ）は、絵本２に携帯端末３を収納する様子を示している。絵本２に携帯端末３を収納したものが、演出効果付き絵本１である。
【００３８】
図２（ａ）に示すように、絵本２は、裏表紙部２１、表表紙部２２および印刷ページ部２３を備えている。
【００３９】
裏表紙部２１は、絵本２の裏表紙（表４）および裏表紙裏（表３）になるものであり、携帯端末３を収納できる厚みを持っている。裏表紙部２１には、携帯端末３を収納するための空洞部分である収納部２１１が設けられている。収納部２１１の裏表紙裏側の面は、開閉可能な蓋２１２になっている。蓋２１２は、左側の長辺が裏表紙部２１の裏表紙裏に固定されており、図２（ｂ）に示すように開くことができる。なお、左側の長辺ではなく、右側の長辺、上側の短辺または下側の短辺が裏表紙部２１の裏表紙裏に固定されるようにしてもよい。閉じたときの蓋２１２の左上には、開口２１３が設けられている。図２（ｂ）に示すように、携帯端末３は、撮影レンズ３３２ａが配置された面を上にして（裏表紙裏側に向けて）、収納部２１１に嵌め込むようにして配置される（図の矢印参照）。そして、蓋２１２を閉じることで収納される。開口２１３は、収納部２１１に収納された携帯端末３の撮影レンズ３３２ａの位置に合わせるように配置されている。
【００４０】
本実施形態では、絵本２が右開きになっており、撮影レンズ３３２ａが左上に配置された携帯端末３を用いるので、収納された携帯端末３の撮影レンズ３３２ａの位置が、裏表紙部２１の裏表紙裏の左上になるように、収納部２１１を裏表紙部２１の左側に寄せた位置に配置している。これにより、検出領域２３１の配置位置を各ページの邪魔にならない位置にすることができる。例えば、図２の場合、印刷ページ部２３の第１２ページであれば、ページの右上の隅に検出領域２３１が配置されている。なお、収納部２１１の配置場所および配置方向、開口２１３の配置場所は、上述したものに限られない。絵本２の開き方や、用いられる携帯端末３に応じて、適宜、配置すればよい。例えば、撮影レンズ３３２ａが右上に配置された携帯端末３を用いるのであれば、収納部２１１を裏表紙部２１の上側に寄せた位置に横長となるように配置すればよい。この場合、図２（ｂ）に示す携帯端末３を反時計回りに９０°回転させて裏表紙部２１の上側に寄せた状態で配置することになり、携帯端末３の右上に配置された撮影レンズ３３２ａが、裏表紙部２１の裏表紙裏の左上になるように配置される。なお、検出領域２３１の配置位置を気にしないなら、収納部２１１の配置場所および配置方向は、自由に設計すればよい。
【００４１】
表表紙部２２は、絵本２の表表紙（表１）および表表紙裏（表２）になるものである。表表紙部２２と裏表紙部２１とは、開閉可能なように、表表紙部２２の左端部と裏表紙部２１の右端部とが固着されている。なお、絵本２が左開きの場合、表表紙部２２の右端部が、裏表紙部２１の左端部に固着される。
【００４２】
印刷ページ部２３は、絵や文字が印刷された各ページで構成されており、裏表紙部２１と表表紙部２２との固着位置（裏表紙部２１の右端部、および、表表紙部２２の左端部）に固着されている。本実施形態では、印刷ページ部２３は、６枚の矩形状の紙からなり、表表紙裏の左のページである第１ページから、裏表紙裏の右のページである第１２ページまでの全１２ページで構成されている。なお、表表紙裏および裏表紙裏にも、絵や文字を印刷するようにしてもよい。各ページの、絵本２を閉じたときに開口２１３に向かい合う位置（偶数ページの場合は各ページの右上の隅であり、奇数ページの場合は各ページの左上の隅）には、検出領域２３１が配置されている。各ページの検出領域２３１には、１〜６個の孔２３１ａが設けられている（図４（ａ）参照）。例えば、第１２ページの右上の隅に配置される検出領域２３１には６個の孔２３１ａが設けられている（図４（ａ）左端の図参照）。また、第１１ページの左上の隅に配置される検出領域２３１にも、必然的に６個の孔２３１ａが設けられている。
【００４３】
図３は、携帯端末３の内部構成を説明するための機能ブロック図である。
【００４４】
本実施形態に係る携帯端末３は、スマートフォンであり、撮影機能や通信機能など各種機能を備えた携帯型端末装置である。携帯端末３は、制御部（ＣＰＵ）３１、記憶部３２、操作部３３１、撮影部３３２、マイク３３３、ＧＰＳ３３４，ジャイロセンサ３３５、第１通信部３４１、第２通信部３４２、表示部３４３、バイブレータ３４４、ライト３４５、および、スピーカ３４６を備えている。なお、携帯端末３の内部構成は、一般的なスマートフォンのものと共通している。
【００４５】
操作部３３１は、操作入力のために押圧される複数のボタンおよびタッチパネルを備えている。各ボタンの配置や機能は一般的なスマートフォンと同様である。タッチパネルは、表示画面の表面を被うように設けられている。操作部３３１は、ボタンが押圧された場合にボタンにより異なる操作信号を制御部３１に出力する。制御部３１は入力された操作信号によりいずれのボタンが押圧されたかを認識し、対応する処理を行う。また、操作部３３１は、タッチパネルで検知した接触位置の情報を制御部３１に出力する。制御部３１は入力された接触位置の情報に基づいて、対応する処理を行う。
【００４６】
撮影部３３２は、画像を撮影するものであり、撮影レンズ３３２ａおよびＣＣＤイメージセンサなどの撮像素子を備えたカメラなどで構成されている。撮影部３３２は、撮影した画像のデータを制御部３１に出力する。制御部３１は、入力された画像データを記憶部３２に記憶したり、所定の画像処理を行う。本実施形態では、撮影部３３２は、検出領域２３１の撮影を行う。
【００４７】
マイク３３３は、音声を入力するための入力装置である。マイク３３３から入力された音声は音声データに変換されて、制御部３１に出力される。制御部３１は、入力された音声データを記憶部３２に記憶したり、第１通信部３４１から通信回線に出力させたりする。
【００４８】
ＧＰＳ３３４は、グローバルポジショニングシステムを利用して位置を検出するものである。ＧＰＳ３３４で検出された位置情報は、制御部３１に出力される。制御部３１は、入力された位置情報を記憶部３２に記憶したり、所定の処理に用いる。
【００４９】
ジャイロセンサ３３５は、角度や加速度を検出するものである。ジャイロセンサ３３５は、携帯端末３の傾きや加速度を検出して、検出したデータを制御部３１に出力する。制御部３１は、入力された加速度などのデータを記憶部３２に記憶したり、所定の処理に用いる。
【００５０】
第１通信部３４１は、通信回線を介した通信を行うものである。第１通信部３４１は、無線基地局との間で無線通信を行い、当該無線基地局と接続する通信回線に接続する。第１通信部３４１は、受信した通信信号を制御部３１に出力し、制御部３１より入力される通信信号を通信回線に送信する。
【００５１】
第２通信部３４２は、短距離無線通信を行うものである。本実施形態では、第２通信部３４２は、中継装置４（図１参照）との間で、ＷｉＦｉ（登録商標）方式による無線通信を行っている。第２通信部３４２は、中継装置４より受信した通信信号を制御部３１に出力し、制御部３１より入力される通信信号を中継装置４に送信する。
【００５２】
表示部３４３は、画像を表示するものであり、例えば液晶表示画面を備えている。表示部３４３は、制御部３１より入力される画像データに基づいた画像を表示する。図２（ｂ）に示す携帯端末３においては、液晶表示画面は裏側の面に配置されている。
【００５３】
バイブレータ３４４は、例えばモータと重心を偏らせた重りを備えた振動装置であり、制御部３１より入力される制御信号に応じてモータを回転させることで振動する。
【００５４】
ライト３４５は、例えばＬＥＤを備えた発光装置であり、制御部３１より入力される制御信号に応じて発光する。図２（ｂ）に示す携帯端末３においては、ライト３４５は撮影レンズ３３２ａの隣に配置されている。
【００５５】
スピーカ３４６は、音声を出力するための出力装置である。スピーカ３４６は、制御部３１より入力される音声データを音声に変換して出力する。
【００５６】
記憶部３２は、ＲＯＭ、ＲＡＭ、および不揮発性メモリなどを備えている。ＲＯＭは、制御部３１で実行される制御プログラムなどが記憶されるものである。ＲＡＭは、情報が仮に格納されるためのエリアと制御部３１が演算などを行う際に使用するワークエリアを提供するものである。不揮発性メモリは、画像データや音声データなどの各種データを記憶しておくものである。なお、後述する図６のフローチャートに示す演出処理などのプログラムや、図５に示す演出テーブルなどは、アプリケーションソフトとして通信回線を介してダウンロードされ、不揮発性メモリに記憶される。なお、あらかじめＲＯＭなどに記憶しておいてもよい。
【００５７】
制御部３１は、携帯端末３の各種制御や信号処理を行うものであり、例えば、ＣＰＵを用いて構成されている。また、携帯端末３にアプリケーションソフトがインストールされることにより、制御部３１は、機能的な構成として、画像取得部３１１、ページ識別部３１２、情報読出部３１３、および、演出処理部３１４を備えている。
【００５８】
画像取得部３１１は、検出領域２３１を撮影した画像を取得するものである。画像取得部３１１は、所定のタイミングで、撮影部３３２に撮影を行わせ、撮影部３３２より入力される画像データを取得する。図２に示すように、絵本２の各ページを閉じたときに、携帯端末３の撮影レンズ３３２ａに向かい合う位置に、各ページの検出領域２３１が配置されているので、撮影部３３２が撮影した画像は、各ページの検出領域２３１を重ね合わせたときの画像になる。
【００５９】
ページ識別部３１２は、取得した画像データに基づいて、現在開いているページを識別するものである。ページ識別部３１２は、取得した画像データに対してグレイスケール化および２値化を行って、２値化画像に基づいて現在開いているページを識別する。
【００６０】
図４は、ページを識別する方法を説明するための図である。
【００６１】
図４（ａ）は、各ページの検出領域２３１の一例を示している。第２ページの検出領域２３１（右端の図参照）には左上に１つの孔２３１ａが設けられている。第４ページの検出領域２３１には左上の孔２３１ａに加えて、右上にも孔２３１ａが設けられている。第４ページと第２ページとを重ねた場合、第４ページの検出領域２３１の左上の孔２３１ａは、第２ページの検出領域２３１の孔２３１ａに重なるように配置されている。第６ページ、第８ページ、第１０ページ、第１２ページと進むにつれ、孔２３１ａが１つずつ増加し、増加した孔２３１ａ以外の孔２３１ａは、それ以前のページの孔２３１ａに重なるように配置されている。
【００６２】
例えば、絵本２において第８ページと第９ページとを開いている場合、第８ページの右上の隅に、４つの孔２３１ａが設けられた検出領域２３１が配置され、第９ページの左上の隅に、５つの孔２３１ａが設けられた検出領域２３１（第１０ページの検出領域２３１を反転したもの）が配置された状態になる（図４（ｂ）参照）。携帯端末３は、第９ページの後方（図４（ｂ）において紙面に対して奥側）の左寄りに配置されており、撮影レンズ３３２ａに向かい合う位置に検出領域２３１が位置している。なお、図４（ｂ）においては、検出領域２３１を実際より大きめに記載している。撮影レンズ３３２ａと第９ページ（第１０ページ）の検出領域２３１との間には、第１２ページ（第１１ページ）の検出領域２３１（図４（ａ）左端の図参照）が位置しているが、第１２ページの検出領域２３１の６つの孔２３１ａのうち５つの孔２３１ａは、第１０ページの検出領域２３１の５つの孔２３１ａに重なるので、撮影部３３２によって撮影される画像は、第１０ページの検出領域２３１（図４（ａ）左から２つ目の図参照）の５つの孔２３１ａの部分から光が透過してきた５つの丸い部分以外が黒くなった図４（ｃ）のような画像になる。撮影部３３２によって撮影された画像は、画像処理により２値化画像に変換されて、光が透過した部分が白い丸となって、識別しやすくなる。
【００６３】
開いているページによって、２値化画像は異なり、第１０ページと第１１ページとを開いている場合は、白い丸が６つ表れた画像になり、第２ページと第３ページとを開いている場合は、白い丸が２つ表れた画像になる。
【００６４】
本実施形態では、２値化画像において、図４（ｄ）に示す点の位置が白であるか黒であるかに基づいて、開いているページを識別する。図４（ｄ）に示す点の位置は、それぞれ、２値化画像において白い丸がある場合にその略中心となる位置としている。２値化画像における、図４（ｄ）に示すある点の位置が白である場合は、当該位置に白い丸があると判断され、ある点の位置が黒である場合は、当該位置に白い丸がないと判断される。これにより、２値化画像に表れている白い丸の個数をカウントすることができる。そして、白い丸の個数によって、開いているページを識別することができる。なお、撮影部３３２によって撮影された画像が少しずれていたとしても、そのずれが白い丸の半径より小さい場合は、白い丸があることを正しく認識することができる。
【００６５】
例えば、２値化画像が図４（ｃ）の画像の場合、図４（ｄ）に示す点のうち、右下の点の位置は黒になるので、当該位置には白い丸がないと判断され、その他の５つの点の位置はそれぞれ白になるので、当該位置には白い丸があると判断される。したがって、白い丸が５つあるので、第８ページと第９ページが開いていると判断される。
【００６６】
なお、グレイスケール化や２値化などの画像処理を行うことなく、元の画像データのままで、白い丸があるか否かの判断を行うようにしてもよい。画像処理を行っていない場合でも、白い丸に対応する位置はそれ以外の位置と比べて明度が高くなるので、各位置の明度をしきい値と比較することで、判断することができる。また、白い丸の数ではなく、白い丸の位置に基づいて、開いているページを識別するようにしてもよい。
【００６７】
なお、ページの識別の手法は、上述したものに限られない。例えば、各ページを開いたときの２値化画像をそれぞれ参照画像として記憶しておき、撮影部３３２によって撮影されて画像処理された２値化画像を参照画像とパターンマッチングさせることで、開いているページを識別するようにしてもよい。各参照画像は、アプリケーションソフトの一部としてインストールしておけばよい。
【００６８】
図３に戻って、情報読出部３１３は、識別されたページに対応する情報を記憶部３２より読み出すものである。記憶部３２には、各ページに対応する演出のための情報が設定された演出テーブルが記憶されている。
【００６９】
図５は、記憶部３２に記憶されている演出テーブルの一例を示す図である。例えば、第２〜３ページに対応する情報として、「音声２」の音声データが記憶されており、振動をさせることを示す情報（図５においては「○」で示されている）、照明機器５に送信する情報（通信データ１）として照明を赤くすることを示す情報、エアコン６に送信する情報（通信データ２）として温風を吹き出すことを示す情報（実際には、エアコン６を暖房として起動させる情報と、高い設定温度）、ディスプレイ７に送信する情報（通信データ４）として「映像１」の動画情報などが記憶されている。
【００７０】
演出処理部３１４は、記憶部３２の演出テーブルより読み出された情報に基づいて、各演出処理を行う。例えば、図５に示す演出テーブルの第２〜３ページに対応する情報が読み出された場合、「音声２」の音声データがスピーカ３４６に出力され、「音声２」に対応する音声（第２〜３ページの記載に対応した音声）がスピーカ３４６より出力され、バイブレータ３４４が振動することで、演出効果付き絵本１全体が振動する。また、第２通信部３４２から中継装置４を介して、照明機器５、エアコン６およびディスプレイ７に、それぞれ対応する情報が通信信号として送信される。照明機器５は、受信した通信信号に基づいて、照明を赤い光に変更する。また、エアコン６は、受信した通信信号に基づいて、高い設定温度で暖房として起動され、温風を吹き出す。ディスプレイ７は、受信した通信信号に基づいて、「映像１」の動画を表示する。
【００７１】
図６は、制御部３１が行う、ページに対応した演出を行う処理（以下では、「演出処理」とする）を説明するためのフローチャートである。当該演出処理は、携帯端末３のアプリケーションソフトを起動させたときに開始され、アプリケーションソフトが終了されるまで継続される。
【００７２】
まず、撮影部３３２に撮影を行わせ、撮影部３３２より入力される画像データが取得され（Ｓ１）、取得された画像データに基づいて、現在開いているページが識別される（Ｓ２）。次に、ページが変更されたか否かが判別される（Ｓ３）。ページが変更されていないと判別された場合（Ｓ３：ＮＯ）、ステップＳ１に戻って、所定の時間が経過後、再度撮影を行わせる。ページが変更されるまでは、ステップＳ１〜Ｓ３が繰り返される。
【００７３】
携帯端末３のアプリケーションソフトを起動させてから、携帯端末３を収納部２１１に収納する間や、絵本２の表紙が閉じられている間にも、撮影部３３２による撮影は行われる。この時撮影される画像は、検出領域２３１を撮影したものではないので、ページが識別されない。ステップＳ２でページが識別できなかった場合も、ステップＳ１に戻って、再度撮影が行われる。
【００７４】
ステップＳ３において、ページが変更されたと判別された場合（Ｓ３：ＹＥＳ）、識別されたページに対応する情報が、記憶部３２の演出テーブルより読み出される（Ｓ４）。読み出された音声データはスピーカ３４６に出力され、対応する音声が出力される（Ｓ５）。また、読み出された通信データは第２通信部３４２に出力され、通信信号として中継装置４に送信される（Ｓ６）。さらに、振動させることを示す情報が読み出されたか否かが判別され（Ｓ７）、読み出された場合（Ｓ７：ＹＥＳ）はバイブレータ３４４がＯＮにされ（Ｓ８）、読み出されなかった場合（Ｓ７：ＮＯ）はバイブレータ３４４がＯＦＦにされ（Ｓ９）、ステップＳ１に戻る。なお、制御部３１が行う演出処理は、上述したものに限定されない。
【００７５】
本実施形態においては、撮影部３３２によって撮影された画像に基づいて、制御部３１が開いているページを識別する。各ページの検出領域２３１は、各ページを閉じたときに撮影部３３２の撮影レンズ３３２ａと向い合せになる位置に設けられている。検出領域２３１は、従来のものより狭い領域とすることができる。また、本実施形態においては、撮影レンズ３３２ａの位置が裏表紙部２１の裏表紙裏の左上の隅になるように、携帯端末３を収納する収納部２１１が配置されている。これにより、検出領域２３１の配置位置を各ページの邪魔にならない位置にすることができる。
【００７６】
本実施形態においては、制御部３１が識別したページに応じて、様々な演出を行うことができる。したがって、読者は、様々な演出により、絵本２の内容を臨場感を持って楽しむことができる。
【００７７】
本実施形態においては、携帯端末３を絵本２に収納して、携帯端末３が有する機能を利用している。したがって、絵本２自体に撮影機能や通信機能などを設ける場合より、はるかに低コストで絵本２を製造することができる。また、携帯端末３が多機能であれば、その機能に合わせて、演出効果付き絵本１による演出を、さらに多彩なものにすることができる。
【００７８】
なお、上記第１実施形態においては、検出領域２３１を１〜６個の孔２３１ａが設けられたものとした場合について説明したが、これに限られない。印刷ページ部２３のページ数が多い場合、孔２３１ａの数を増やすことで対応することができる。また、孔２３１ａの数が同じでも、孔２３１ａの配置位置によって識別するようにしてもよい。また、検出領域２３１を、ページによって太さの異なるスリット２３１ｂを設けたものとしてもよい（図７（ａ）参照）。この場合でも、開いているページによって撮影される画像が異なってくるので、開いているページを識別することができる。また、撮影された画像の白い領域の面積で識別するようにしてもよい。また、スリット２３１ｂの形状を、例えば図７（ｂ）に示すもののようにすることで、印刷ページ部２３のページ数の増加に対応することができる。
【００７９】
上記第１実施形態においては、携帯端末３を、裏表紙部２１の裏表紙裏側から収納部２１１に収納する場合について説明したが、これに限られない。例えば、図８（ａ）に示すように、裏表紙側の面に蓋２１２を設けて、裏表紙側から収納するようにしてもよい。また、図８（ｂ）に示すように、裏表紙部２１の側面に側面開口部２１４を設けて、携帯端末３を側面開口部２１４から収納部２１１に収納するようにしてもよい。なお、側面開口部２１４は、裏表紙部２１の上側の側面や下側の側面に設けるようにしてもよい。
【００８０】
また、図９に示すように、台紙２１６に設けられた収納部２１７に携帯端末３を収納し、携帯端末３が収納された台紙２１６を、裏表紙部２１の側面に設けられた側面開口部２１４から収納部２１１に収納するようにしてもよい。この場合、用いられる携帯端末３に応じて収納部２１７が配置された台紙２１６をそれぞれ用意することにより、絵本２を共通して用いることができる。
【００８１】
上記第１実施形態においては、携帯端末３がスマートフォンである場合について説明したが、これに限られない。携帯端末３は、絵本２に収納することができる大きさで、撮影機能を備え、アプリケーションソフトをインストールするためにＣＰＵおよびメモリを備えていればよいので、例えば、携帯電話やタブレット型コンピュータなどであってもよい。また、アプリケーションソフトをインストールすることができるカメラなどを、携帯端末３の代わりに用いるようにしてもよい。
【００８２】
また、図１０（ａ）に示すように、撮影部３３２、制御部３１、記憶部３２、第２通信部３４２およびスピーカ３４６に対応するモジュールを備えている、演出効果付き絵本１のための専用の機器を携帯端末３として用いるようにしてもよい。また、専用の携帯端末３は、裏表紙部２１の裏表紙裏の所定の位置に、貼り付けたり、クリップなどで固定するようにしてもよい（図１１（ｂ）参照）。携帯端末３を内部に収納する必要がないので、裏表紙部２１の厚さを薄くすることができる。この場合、専用の携帯端末３を固定する場所が収納部２１１であり、当該場所に専用の携帯端末３を固定することが収納することである。なお、専用の携帯端末３の形状は限定されず、より薄いカード形状としてもよい。また、図１１（ｃ）に示すように、断面が略Ｕ字形状として、裏表紙部２１を挟み込むように固定するようにしてもよい。また、スマートフォンなどの携帯端末３の場合でも、裏表紙部２１の裏表紙裏の所定の位置に、貼り付けたり、クリップなどで固定するようにしてもよい
【００８３】
上記第１実施形態においては、通信機能を利用して各家電機器５〜９を操作しているが、通信機能を利用しないようにしてもよい。この場合、通信機能を備えた家電機器５〜９などや、中継装置４を用意する必要がない。携帯端末３自体の機能だけでも、いろいろな演出を楽しむことができる。
【００８４】
上記第１実施形態においては、携帯端末３のスピーカ３４６から音声を出力し、バイブレータ３４４で振動させる演出を行っているが、これに限られない。例えば、開口２１３を少し広げて、撮影レンズ３３２ａの隣に配置されているライト３４５を演出に用いるようにしてもよい。また、裏表紙部２１の裏表紙裏側に開口を設けて、液晶表示画面に画像を表示するようにしてもよい。また、第１通信部３４１を利用し、インターネットに接続して新たなプログラムや情報を入手したり、電話をかけるようにしてもよい。また、携帯端末３に備えられている他の機能を利用するようにしてもよい。
【００８５】
また、操作部３３１やマイク３３３、ＧＰＳ３３４、ジャイロセンサ３３５から入力される情報を、演出に利用するようにしてもよい。例えば、絵本２のページに記載されたドアをノックするように促して、マイク３３３より入力される音声データとジャイロセンサ３３５より入力される加速度データとから、ノックがされたか否かを判別して、判別結果により演出を変えるようにしてもよい。また、ＧＰＳ３３４より入力される位置情報から、例えば、現在地が大阪であると判断されると、音声データとして大阪弁のデータを用いるようにしてもよい。また、携帯端末３に備えられている他のセンサ類を利用するようにしてもよい。
【００８６】
最後のページ（図２の場合は第１２ページ）が開かれた場合、撮影レンズ３３２ａの前には遮るものがなくなるので、撮影された画像には読者の顔が含まれる。当該画像から読者の顔を認識して、男の子だと判断された場合は「坊やおやすみ。」、女の子だと判断された場合は「お嬢ちゃんおやすみ。」との音声を出力して、電動カーテン８によってカーテンを閉め、照明機器５を消灯して、携帯端末３の電源をオフにするようにしてもよい。
【００８７】
上記第１実施形態においては、印刷ページ部２３が、裏表紙部２１に固着されている場合について説明したが、これに限られない。印刷ページ部２３を取り替え可能とした場合を、第２実施形態として以下に説明する。
【００８８】
図１１（ａ）は第２実施形態に係る絵本２’を説明するための図である。同図において、図２（ａ）に示す絵本２と同一または類似の要素には、同一の符号を付している。
【００８９】
絵本２’は、印刷ページ部２３および表表紙部２２を取り替え可能としている点で、第１実施形態に係る絵本２と異なる。
【００９０】
裏表紙部２１の右端には、複数のリング状の止め具２１５が設けられている。印刷ページ部２３の各ページには、裏表紙部２１の止め具２１５に通すための孔２３２が設けられている。印刷ページ部２３は、止め具２１５を孔２３２に通して、ページをめくれるようにして、裏表紙部２１の右端に固定されている。また、表表紙部２２にも、印刷ページ部２３と同様に、孔が設けられており、印刷ページ部２３と同様にして、裏表紙部２１の右端に固定されている。止め具２１５は、リングの一部が開放できるようになっている。印刷ページ部２３および表表紙部２２は、止め具２１５を開放することで取り外すことができる。また、別の印刷ページ部２３および表表紙部２２を取り付けることができる。なお、表表紙部２２は取り替えずに、印刷ページ部２３だけを取り換えるようにしてもよい。
【００９１】
印刷ページ部２３を取り換えた場合、携帯端末３の操作部３３１を操作して、演出テーブルを変更することで、印刷ページ部２３の内容に対応した演出を行うようにすることができる。また、印刷ページ部２３を識別して、対応する演出テーブルを用いるようにしてもよい。第１ページ（第２ページ）の検出領域２３１（図４（ａ）右端の図参照）の孔２３１ａの位置を異ならせれば、第１ページを開いたときに撮影された画像において、白い丸がどの位置にあるかで、印刷ページ部２３を識別することができる。例えば、図４の例の場合、６種類の印刷ページ部２３を識別することができる。なお、第１ページ以外のページの検出領域２３１の孔２３１ａの位置も、第１ページの検出領域２３１の孔２３１ａの位置に応じて変更する必要がある。
【００９２】
第２実施形態においては、裏表紙部２１に固定される印刷ページ部２３を取り替えることができる。第１実施形態に係る絵本２のように、印刷ページ部２３と裏表紙部２１とが一体になっている場合は、複数の内容を揃えるためには、その数だけ絵本２を揃える必要がある。しかし、第２実施形態に係る絵本２’の場合は、裏表紙部２１を共通に用いるようにして、内容の数だけ印刷ページ部２３のみを揃えればよい。したがって、多くの内容を揃える場合、第２実施形態に係る絵本２’の方が、第１実施形態に係る絵本２よりコストを抑制することができる。
【００９３】
なお、裏表紙部２１に印刷ページ部２３を固定する方法は、上述したものに限られない。印刷ページ部２３の各ページをめくれるようにして、裏表紙部２１に固定することができ、かつ、印刷ページ部２３が裏表紙部２１から取り外しできるようになる方法であればよい。例えば、クリップや面ファスナーなどで、印刷ページ部２３を裏表紙部２１に固定するようにしてもよい。
【００９４】
上記第１および第２実施形態においては、絵本２（２’）に携帯端末３を収納することで演出効果付き絵本１を構成する場合について説明したが、これに限られない。絵本自体に撮影機能や通信機能などを設けることで、演出効果付き絵本とした場合を、第３実施形態として以下に説明する。
【００９５】
図１１（ｂ）は第３実施形態に係る演出効果付き絵本を説明するための図である。同図において、図２（ｂ）に示す演出効果付き絵本１と同一または類似の要素には、同一の符号を付している。
【００９６】
演出効果付き絵本１’は、裏表紙部２１’に撮影機能や通信機能などを設けた点で、第１実施形態に係る演出効果付き絵本１と異なる。
【００９７】
裏表紙部２１’の左上の隅には撮影部３３２が設けられており、裏表紙裏側に設けられた開口の位置に撮影レンズ３３２ａが配置されている。また、裏表紙部２１’の内部には、制御部３１、記憶部３２、第２通信部３４２およびスピーカ３４６に対応するモジュールが埋め込まれている。
【００９８】
第３実施形態においては、絵本自体に撮影機能や通信機能などが設けられているので、携帯端末３を別途用意する必要がない。
【００９９】
なお、裏表紙部２１’の内部に、バイブレータ３４４やジャイロセンサ３３５などのモジュールも埋め込むようにしてもよい。
【０１００】
また、第３実施形態に係る演出効果付き絵本１’も、第２実施形態のように、印刷ページ部２３を取り替え可能にしてもよい。
【０１０１】
上記第１ないし第３実施形態においては、本発明を絵本に適用した場合について説明したが、これに限られず、絵本以外の本にも適用することができる。例えば、本発明を写真集に適用して、開いたページに掲載されている写真に対応した演出を行うようにしてもよい。また、本発明は、小説や実用書などの本にも適用することができる。
【０１０２】
本発明に係る本、当該本を備える演出システムおよびプログラムは、上述した実施形態に限定されるものではない。本発明に係る本、当該本を備える演出システムおよびプログラムの各部の具体的な構成は、種々に設計変更自在である。
【図１】
0006568529.tif 000002
【図２】
0006568529.tif 000003
【図３】
0006568529.tif 000004
【図４】
0006568529.tif 000005
【図５】
0006568529.tif 000006
【図６】
0006568529.tif 000007
【図７】
0006568529.tif 000008
【図８】
0006568529.tif 000009
【図９】
0006568529.tif 000010
【図１０】
0006568529.tif 000011
【図１１】
0006568529.tif 000012